【手続補正書】
【提出日】平成15年6月17日(2003.6.17)
【手続補正１】
【補正対象書類名】明細書
【補正対象項目名】特許請求の範囲
【補正方法】変更
【補正の内容】
【特許請求の範囲】
【請求項１】
制御信号に応答して気体流を患者に供給する圧力発生装置と、
圧力発生装置に連結される第１の端部を有しかつ患者の気道に気体流を連絡する患者管路と、
患者管路内の気体の流量を測定して、測定した流量を示す第１の流量信号を出力する流量センサと、
患者管路内の気体流の圧力を測定して、測定した圧力を示す第１の圧力信号を出力する圧力センサと、
患者管路内から周辺大気に気体を連絡する排出アセンブリと、
第１の流量信号及び第１の圧力信号を受信して、圧力発生装置により患者管路に供給される気体の流量を制御し、これにより患者の気道への気体流量を制御する制御信号を出力するコントローラとを備え、コントローラは、第１の流量信号から決定される流量関連媒介変数と、第１の圧力信号から決定される圧力関連媒介変数との積により決定される患者の吸気動作に基づき、患者の呼吸周期の吸気段階の開始を検出して、気体の吸気流を始動することを特徴とする患者に気体流を供給する気体流供給装置。
【請求項２】
圧力発生装置は、
呼吸用気体供給源から供給される気体を受けて、気体流を発生する送風機と、
送風機に連絡され、かつ制御信号に応答して気体流の速度を制御する流量コントローラとを備える請求項１に記載の気体流供給装置。
【請求項３】
流量コントローラは、送風機の下流で患者管路に設けられ、制御信号に応答して患者管路内の気体の流量を制限することにより気体流の速度を制御する流量制御弁である請求項２に記載の気体流供給装置。
【請求項４】
流量センサは、患者管路の第１の端部に配置される請求項１に記載の気体流供給装置。
【請求項５】
患者管路は、圧力発生装置に作動接続される第１の端部と第２の端部とを有する第１のアームと、排出アセンブリに作動接続される第１の端部と第２の端部とを有する第２のアームとを備える２アーム管路であり、第１のアーム及び第２のアームの各第２の端部は、気体流供給装置を使用する間に患者の気道の近位に配置される請求項１に記載の気体流供給装置。
【請求項６】
排出アセンブリは、コントローラにより供給される排出流量制御信号に応答して、患者管路からの排出気体流の速度を制御する流量コントローラを含む請求項５に記載の気体流供給装置。
【請求項７】
患者管路に第２の気体流を供給する第２の気体流供給装置を備え、
第２の気体流供給装置は、
第２の気体流の供給源から患者管路に第２の気体流を連絡する導管と、
導管内の第２の気体流の流量を測定して、測定した流量を示す第２の流量信号を出力する第２の流量センサとを備える請求項１に記載の気体流供給装置。
【請求項８】
コントローラは、第１の流量信号及び第１の圧力信号の少なくとも１つに基づき、気体の吸気流の始動を防止する呼吸周期の各呼気段階の時間間隔であるトリガーロックアウト間隔を確定する請求項１に記載の気体流供給装置。
【請求項９】
Qpatientを第１の流量信号からの現在の患者流量とし、Qrefを気体吸気流の始動が許容される間の時間間隔であるトリガー時間幅の開始時に第１の流量信号から決定される基準患者流量とし、Ppatientを第１の圧力信号からの現在の患者圧力とし、Prefをトリガー時間幅の開始時に第１の圧力信号から決定される基準患者圧力とすると、コントローラは、
流量関連媒介変数として患者流量差(Qpatient−Qref)を決定し、
圧力関連媒介変数として患者圧力差(Pref−Ppatient)を決定し、
患者流量差と患者圧力差との積として患者吸気動作を決定し、
閾値を超える患者の吸気動作に応答して気体の吸気流を始動する請求項１に記載の気体流供給装置。
【請求項１０】
Qpatientを第１の流量信号からの現在の患者流量とし、Qrefを気体吸気流の始動が許容される間の時間間隔であるトリガー時間幅の開始時に第１の流量信号から決定される基準患者流量とし、第１の圧力信号からの現在の患者圧力をPpatientとし、Prefをトリガー時間幅の開始時に第１の圧力信号から決定される基準患者圧力とすると、コントローラは、流量関連媒介変数として患者流量差(Qpatient−Qref)を決定し、
圧力関連媒介変数として患者圧力差(Pref−Ppatient)を決定し、
患者流量差と患者圧力差との積として患者吸気動作を決定し、
時間間隔にわたって蓄積された患者の吸気動作を合計し、
閾値を超える時間間隔にわたって患者の吸気動作の合計に応答して気体の吸気流を始動する請求項１に記載の気体流供給装置。
【請求項１１】
時間間隔は固定された持続時間を有する請求項１０に記載の気体流供給装置。
【請求項１２】
第１の圧力信号からの現在の患者圧力をPpatientとし、Prefをトリガー時間幅の開始時に第１の圧力信号から決定される基準患者圧力とすると、コントローラは、圧力関連媒介変数として患者圧力差(Pref−Ppatient)を決定し、
適時の患者圧力差を遅延させて、遅延患者圧力差を決定し、
流量関連媒介変数として第１の流量信号から現在の患者流量を決定し、
現在の患者流量と患者吸気動作としての遅延患者圧力差との積を決定し、
時間間隔にわたって蓄積された患者の吸気動作を合計し、
閾値を超える患者の吸気動作の合計に応答して気体の吸気流を始動する請求項１に記載の気体流供給装置。
【請求項１３】
コントローラは、患者の呼吸周期の呼気段階の開始を検出して、気体の吸気流を供給することから、第１の流量信号及び第１の圧力信号の両方により決定される患者の呼気動作に基づき、排出アセンブリによる気体の呼気流を流通させることまでの周期動作を行う請求項１に記載の気体流供給装置。
【請求項１４】
Qpatientを第１の流量信号からの現在の患者流量とし、Qrefを患者管路からの気体の呼気流が許容される間の時間間隔である周期動作時間幅の開始時に第１の流量信号から決定される基準患者流量とし、Ppatientを第１の圧力信号からの現在の患者圧力とし、Prefを周期動作時間幅の開始時に第１の圧力信号から決定される基準患者圧力とすると、コントローラは、
患者流量差(Qref−Qpatient)を決定し、
患者圧力差(Ppatient−Pref)を決定し、
患者流量差と患者圧力差との積として、患者吸気動作を決定し、
気体の吸気流を供給することから、閾値を超える患者の呼気動作に応答して排出アセンブリによる気体の呼気流を流通させることまでの周期動作を行う請求項１３に記載の気体流供給装置。
【請求項１５】
Ppatientを第１の圧力信号からの現在の患者圧力とし、Prefを患者管路からの気体の呼気流が許容される間の時間間隔である周期動作時間幅の開始時に第１の圧力信号から決定される基準患者圧力とすると、コントローラは、患者圧力差(Ppatient−Pref)を決定し、
第１の流量信号から患者流量を遅延させて、遅延患者流量を決定し、
患者圧力差と患者呼気動作としての遅延患者流量との積を決定し、
時間間隔にわたって蓄積された患者の吸気動作を合計し、
気体の吸気流を供給することから、閾値を超える患者の呼気動作の合計に応答して排出アセンブリによる気体の呼気流を流通させることまでの周期動作を行う請求項１３に記載の気体流供給装置。
【請求項１６】
Qpatientを第１の流量信号からの現在の患者流量とし、Qrefを患者管路からの気体の呼気流が許容される間の時間間隔である周期動作時間幅の開始時に第１の流量信号から決定される基準患者流量とし、Ppatientを第１の圧力信号からの現在の患者圧力とし、Prefを周期動作時間幅の開始時に第１の圧力信号から決定される基準患者圧力とすると、コントローラは、
患者流量差(Qref−Qpatient)を決定し、
患者圧力差(Ppatient−Pref)を決定し、
患者流量差と患者圧力差との積として、患者呼気動作を決定し、
時間間隔にわたって蓄積された患者の呼気動作を合計し、
気体の吸気流を供給することから、閾値を超える時間間隔にわたって患者の呼気動作の合計に応答して排出アセンブリによる気体の呼気流を流通させることまでの周期動作を行う請求項１３に記載の気体流供給装置。
【請求項１７】
時間間隔は固定された持続時間を有する請求項１６に記載の気体流供給装置。
【請求項１８】
コントローラは、気体の吸気流の供給することから、周期閾値流量以下に低下する患者流量に応答して、第１の流量信号から決定される患者流量と周期閾値流量及び複数の周期とを比較することにより、排出アセンブリによる気体の呼気流を流通させることまでの周期動作を行う請求項１に記載の気体流供給装置。
【請求項１９】
コントローラは、
吸気段階の終端部で第１の圧力信号により患者圧力を監視し、呼気段階の開始部で第１の流量信号により患者流量を監視して、気体流供給装置の循環が早過ぎるか又は遅過ぎるかを決定し、
気体流供給装置の循環が早過ぎるか又は遅過ぎるかの決定に応答して、次の呼吸周期に対して周期閾値流量を調整する請求項１８に記載の気体流供給装置。
【請求項２０】
制御信号に応答して気体流を患者に供給する圧力発生装置と、
圧力発生装置に連結されかつ患者の気道に気体流を連絡する患者管路と、
患者管路内の気体の流量を測定して、測定した流量を示す第１の流量信号を出力する流量センサと、
患者管路内の気体流の圧力を測定して、測定した圧力を示す第１の圧力信号を出力する圧力センサと、
患者管路内から周辺大気に気体を連絡する排出アセンブリと、
第１の流量信号及び第１の圧力信号を受信して、圧力発生器により患者管路に供給される気体の流量を制御し、これにより患者の気道への気体流量を制御する制御信号を出力するコントローラとを備え、コントローラは、呼吸周期の呼気段階にわたって複数のトリガー機構を作動状態にして、呼吸周期の呼気段階が進行するとき、患者の初期トリガーに対する感度を増加させることを特徴とする患者に気体流を供給する気体流供給装置。
【請求項２１】
呼吸気体流を生成する過程と、
患者管路を経て呼吸気体流を患者に供給する過程と、
制御信号に応答して患者に供給される呼吸気体流を制御する過程と、
患者管路の呼吸流量を測定して、測定した呼吸流量を示す第１の流量信号を出力する過程と、
患者管路の呼吸気体流の圧力を測定して、測定した圧力を示す第１の圧力信号を出力する過程と、
患者管路内から周辺大気に気体を連絡する過程と、
第１の流量信号から決定される流量関連媒介変数と第１の圧力信号から決定される圧力関連媒介変数との積により決定される患者の吸気動作に基づき、患者の呼吸周期の吸気段階の開始を検出して呼吸気体流を始動する過程を含むことを特徴とする患者に気体流を供給する気体流供給法。
【請求項２２】
Qpatientを第１の流量信号からの現在の患者流量とし、Qrefを気体の呼気流が許容される間の時間間隔であるトリガー時間幅の開始時に第１の流量信号から決定される基準患者流量とし、Ppatientを第１の圧力信号からの現在の患者圧力とし、Prefをトリガー時間幅の開始時に第１の圧力信号から決定される基準患者圧力とすると、吸気段階の開始を検出する過程は、
流量関連媒介変数として患者流量差(Qpatient−Qref)を決定する過程と、
圧力関連媒介変数として患者圧力差(Pref−Ppatient)を決定する過程と、
患者流量差と患者圧力差との積として患者の吸気動作を決定する過程とを含む請求項２１に記載の気体流供給法。
【請求項２３】
閾値を超える患者の吸気動作に応答して気体の吸気流を始動する過程を含む請求項２２に記載の気体流供給法。
【請求項２４】
Qpatientを第１の流量信号からの現在の患者流量とし、Qrefを気体の呼気流が許容される間の時間間隔であるトリガー時間幅の開始時に第１の流量信号から決定される基準患者流量とし、Ppatientを第１の圧力信号からの現在の患者圧力とし、Prefをトリガー時間幅の開始時に第１の圧力信号から決定される基準患者圧力とすると、吸気段階の開始を検出する過程は、
流量関連媒介変数として患者流量差(Qpatient−Qref)を決定する過程と、
圧力関連媒介変数として患者圧力差(Pref−Ppatient)を決定する過程と、
患者流量差と患者圧力差との積として患者の吸気動作を決定する過程と、
時間間隔にわたって蓄積された患者の吸気動作を合計する過程と、
閾値を超える時間間隔にわたって患者の吸気動作の合計に応答して気体の吸気流を始動する過程とを含む請求項２１に記載の気体流供給法。
【請求項２５】
時間間隔は固定された持続時間を有する請求項２４に記載の気体流供給法。
【請求項２６】
吸気段階の開始を検出する過程は、
Ppatientを第１の圧力信号からの現在の患者圧力とし、Prefを気体の呼気流が許容される間の時間間隔であるトリガー時間幅の開始時に第１の圧力信号から決定される基準患者圧力とすると、圧力関連媒介変数として患者圧力差(Pref−Ppatient)を決定する過程と、
遅延患者圧力差を決定して、圧力降下の開始と吸気の開始に発生する患者流量の上昇との間の固有の生理学的遅延を説明するように遅延の長さが選択される過程と、
流量関連媒介変数として第１の流量信号から現在の患者流量を決定する過程と、
現在の患者流量と患者の吸気動作としての遅延患者圧力差との積を決定する過程と、
時間間隔にわたって蓄積された患者の吸気動作を合計する過程と、
閾値を超える患者の吸気動作の合計に応答して気体の吸気流を始動する過程とを含む請求項２１に記載の気体流供給法。
【請求項２７】
患者の呼吸周期の呼気段階の開始を検出して、気体の吸気流を供給することから、患者の呼気動作に基づき患者管路による気体の呼気流を流通させることまでの周期動作を行う過程と、呼気段階の開始を検出する過程は、第１の流量信号及び第１の圧力信号の両方により決定される過程を含む請求項２１に記載の気体流供給法。
【請求項２８】
呼気段階の開始を検出する過程は、
Qpatientを第１の流量信号からの現在の患者流量とし、Qrefを患者管路からの気体の呼気流が許容される間の時間間隔である周期動作時間幅の開始時に第１の流量信号から決定される基準患者流量とすると、患者流量差(Qref−Qpatient)を決定する過程と、
Ppatientを第１の圧力信号からの現在の患者圧力とし、Prefを周期動作時間幅の開始時に第１の圧力信号から決定される基準患者圧力とすると、患者圧力差(Ppatient−Pref)を決定する過程と、
患者流量差と患者圧力差との積として、患者呼気動作を決定する過程と、
気体の吸気流を供給することから、閾値を超える患者の呼気動作に応答して、患者管路による気体の呼気流を流通させることまでの周期動作を行う過程とを含む請求項２７に記載の気体流供給法。
【請求項２９】
Ppatientを第１の圧力信号からの現在の患者圧力とし、Prefを患者管路からの気体の呼気流が許容される間の時間間隔である周期動作時間幅の開始時に第１の圧力信号から決定される基準患者圧力とすると、患者圧力差(Ppatient−Pref)を決定する過程と、
第１の流量信号から患者流量を遅延させて、遅延患者流量を決定する過程と、
患者圧力差と患者呼気動作としての遅延患者流量との積を決定する過程と、
時間間隔にわたって蓄積された患者の吸気動作を合計する過程と、
気体の吸気流を供給することから、閾値を超える患者の呼気動作の合計に応答して、患者管路による気体の呼気流を流通させることまでの周期動作を行う過程とを含む請求項２７に記載の気体流供給法。
【請求項３０】
呼気段階の開始を検出する過程は、
Qpatientを第１の流量信号からの現在の患者流量とし、Qrefを患者管路からの気体の呼気流が許容される間の時間間隔である周期動作時間の開始時に第１の流量信号から決定される基準患者流量とすると、患者流量差(Qref−Qpatient)を決定する過程と、
Ppatientを第１の圧力信号からの現在の患者圧力とし、Prefを周期動作時間の開始時に第１の圧力信号から決定される基準患者圧力とすると、患者圧力差(Ppatient−Pref)を決定する過程と、
患者流量差と患者圧力差との積として患者呼気動作を決定する過程と、
時間間隔にわたり蓄積された患者呼気動作の合計を算出する過程と、
気体の吸気流量を供給することから時間間隔にわたり閾値を超える患者の呼気動作の合計に応答して患者管路から気体の呼気流を流通させることまでの周期動作を行う過程とを含む請求項２７に記載の気体流供給法。
【請求項３１】
時間間隔は固定された持続時間である請求項３０に記載の気体流供給法。
【請求項３２】
コントローラは、気体の吸気流量を供給することから、周期閾値流量に対して第１の信号から決定される患者流量を比較して、患者管路から気体の呼気流を流通させることまでの周期動作を行い、周期閾値流量より下方の患者流量に応答して周期動作を行う請求項２１に記載の気体流供給法。
【請求項３３】
吸気段階の終端部で第１の圧力信号を経て患者圧力を監視する過程と、
呼気段階の初端部で第１の流量信号を経て患者流量を監視する過程と、
吸気段階の終端部の患者圧力に基づき、発生した周期動作が遅過ぎるか否かを決定する過程と、
呼気段階の初端部の患者流量に基づき、発生した周期動作が早過ぎるか否かを決定する過程と、
発生した周期動作が早過ぎるか又は遅過ぎるかの決定に対応して、次の呼吸周期に対し周期閾値流量を調節する過程とを含む請求項３２に記載の気体流供給法。
【請求項３４】
気体流を発生する過程と、
患者管路を経て患者に気体流を供給する過程と、
制御信号に応答して患者に供給される気体流を制御する過程と、
患者管路内の気体流の流量を測定して、流量を表す第１の流量信号を出力する過程と、
患者管路内の気体流の圧力を測定して、圧力を表す第１の圧力信号を出力する過程と、
患者管路内から気体を周辺大気に連絡させる過程と、
呼吸周期の呼気段階にわたり複数のトリガー機構を作動させて、呼吸用周期の呼気段階が進行するとき、患者始動トリガーに対する感度を増加させる過程とを含むことを特徴とする患者に呼吸用気体流を供給する気体流供給法。
【請求項３５】
制御信号に対応して気体流を患者に供給する圧力発生装置と、
圧力発生装置に接続されかつ気体流を患者の気道に連絡する患者管路と、
患者管路内の気体流の流量を測定し、流量を表す第１の流量信号を出力する流量センサと、
患者管路内の気体流の圧力を測定し、圧力を表す第１の圧力信号を出力する圧力センサと、
患者管路内の気体を周辺大気に連絡する排出アセンブリと、
第１の流量信号及び第１の圧力信号を受信して、圧力発生器により患者管路に供給される気体流の流量を制御しかつ患者の気道での気体の流量を制御する制御信号を発生するコントローラとを備え、コントローラは、患者の呼吸周期の呼気段階の開始を検出して、第１の流量信号及び第１の圧力信号の両方に基づいて決定される患者呼気動作に基づいて気体の呼気流を循環させることを特徴とする患者に気体流を供給する気体流供給装置。
【請求項３６】
Qpatientを第１の流量信号から得られる現在の患者流量とし、Qrefを患者管路からの気体の呼気流が許容される間の時間間隔である周期動作時間幅の開始時の第１の流量信号から決定される基準患者流量とし、Ppatientを第１の圧力信号から得られる現在の患者圧力とし、Prefを周期動作時間幅の開始時に第１の圧力信号から決定される基準患者圧力とすると、コントローラは、
患者流量差(Qref−Qpatient)を決定し、
患者圧力差(Ppatient−Pref)を決定し、
患者流量差と患者圧力差との積として患者呼気動作を決定し、
気体の吸気流量を供給することから閾値を超える患者の呼気動作に応答して排出アセンブリから気体の呼気流を流通させることまでの周期動作を行う請求項３５に記載の気体流供給装置。
【請求項３７】
Ppatientを第１の圧力信号から得られる現在の患者圧力とし、Prefを周期動作時間幅の開始時に第１の圧力信号から決定される基準患者圧力とすると、コントローラは、患者圧力差(Ppatient−Pref)を決定し、
第１の流量信号からの患者流量を遅延させて、遅延された患者流量を決定し、
患者圧力差と遅延患者流量との積を患者の吸気動作として決定し、
時間間隔にわたり蓄積された患者呼気動作を合計し、かつ
気体の吸気流量を供給することから閾値を超える患者の呼気動作の合計に応答して排出アセンブリから気体の呼気流を流通させることまでの周期動作を行う請求項３５に記載の気体流供給装置。
【請求項３８】
Qpatientを第１の流量信号から得られる現在の患者流量とし、Qrefを患者管路からの気体の呼気流が許容される間の時間間隔である周期動作時間幅の開始時の第１の流量信号から決定される基準患者流量とすると、コントローラは、患者流量差(Qref−Qpatient)を決定し、
Ppatientを第１の圧力信号から得られる現在の患者圧力とし、Prefを周期動作時間幅の開始時に第１の圧力信号から決定される基準患者圧力とすると、患者圧力差(Ppatient−Pref)を決定し、
患者流量差と患者圧力差の積として患者呼気動作を決定し、
時間間隔にわたり蓄積される患者呼気動作を合計し、
気体の吸気流量を供給することから時間間隔にわたり閾値を超える患者の呼気動作の合計に応答して排出アセンブリから気体の呼気流を流通させることまでの周期動作を行う請求項３５に記載の気体流供給装置。
【請求項３９】
時間間隔は固定された持続時間である請求項３８に記載の気体流供給装置。
【請求項４０】
気体流を発生する過程と、
患者管路を経て患者に気体流を供給する過程と、
制御信号に応答して患者に供給される気体流の流量を制御する過程と、
患者管路内の気体流の流量を測定して、流量を表す第１の流量信号を出力する過程と、
患者管路内の気体流の圧力を測定して、圧力を表す第１の圧力信号を出力する過程と、
患者管路内から気体を周辺大気に連絡する過程と、
患者の呼吸周期の呼気段階の開始を検出して、第１の流量信号及び第１の圧力信号に基づいて決定される患者の呼気動作に基づき、気体の呼気流を周期動作させる過程とを含むことを特徴とする患者に気体流を供給する気体流供給法。
【請求項４１】
呼気段階の開始を検出する過程は、
Qpatientを第１の流量信号から得られる現在の患者流量とし、Qrefを患者管路からの気体の呼気流が許容される間の時間間隔である周期動作時間幅の開始時の第１の流量信号から決定される基準患者流量とすると、患者流量差(Qref−Qpatient)を決定する過程と、
Ppatientを第１の圧力信号から得られる現在の患者圧力とし、Prefを周期動作時間幅の開始時に第１の圧力信号から決定される基準患者圧力とすると、患者圧力差(Ppatient−Pref)を決定する過程と、
患者流量差と患者圧力差の積として患者呼気動作を決定する過程と、
気体の吸気流量を供給することから、閾値を超える患者の呼気動作の合計に応答して患者管路から気体の呼気流を流通させることまでの周期動作を行う過程とを含む請求項４０に記載の気体流供給法。
【請求項４２】
呼気段階の開始を決定する過程は、
Ppatientを第１の圧力信号から得られる現在の患者圧力とし、Prefを患者管路からの気体の呼気流が許容される間の時間間隔である周期動作時間幅の開始時に第１の圧力信号から決定される基準患者圧力とすると、患者圧力差(Ppatient−Pref)を決定する過程と、
第１の流量信号からの患者流量を遅延させて、遅延された患者流量を決定する過程と、
患者圧力差と遅延された患者流量との積を患者の吸気動作として決定する過程と、
時間間隔にわたり蓄積された患者吸気動作を合計する過程と、
気体の吸気流量を供給することから、閾値を超える患者の呼気動作の合計に応答して患者管路から気体の呼気流を流通させることまでの周期動作を行う請求項４０に記載の気体流供給法。
【請求項４３】
呼気段階の開始を検出する過程は、
Qpatientを第１の流量信号から得られる現在の患者流量とし、Qrefを患者管路からの気体の呼気流が許容される間の時間間隔である周期動作時間幅の開始時の第１の流量信号から決定される基準患者流量とすると、患者流量差(Qref−Qpatient)を決定する過程と、
Ppatientを第１の圧力信号から得られる現在の患者圧力とし、Prefを周期動作時間幅の開始時に第１の圧力信号から決定される基準患者圧力とすると、患者圧力差(Ppatient−Pref)を決定する過程と、
患者流量差と患者圧力差の積として患者呼気動作を決定する過程と、
時間間隔にわたり蓄積された患者の呼気動作を合計する過程と、
気体の吸気流量を供給することから時間間隔にわたり閾値を超える患者の呼気動作の合計に応答して患者管路から気体の呼気流を流通させることまでの周期動作を行う過程とを含む請求項４０に記載の気体流供給法。
【請求項４４】
時間間隔は固定された持続時間である請求項４０に記載の気体流供給法。
【請求項４５】
制御信号に応答して気体流を患者に供給する圧力発生装置と、
圧力発生装置に接続されかつ気体流を患者の気道に連絡する患者管路と、
患者管路内の気体流の流量を測定し、流量を表す第１の流量信号を出力する流量センサと、
患者管路内の気体流の圧力を測定し、圧力を表す第１の圧力信号を出力する圧力センサと、
患者管路内の気体を周辺大気に連絡する排出アセンブリと、
第１の流量信号及び第１の圧力信号を受信して、患者の呼吸周期の呼気段階の開始を検出するコントローラとを備え、
コントローラは、気体の吸気流を供給することから周期閾値流量以下に該当する第１の流量信号から決定される患者流量に応答して、排出アセンブリから気体の呼気流を流通させて、コントローラは、吸気段階の終端部で第１の圧力信号を経て患者圧力を監視し、発生した周期動作が遅過ぎるか否かを決定すると共に、呼気段階の始端で第１の流量信号を経て患者流量を監視し、発生した周期動作が早過ぎるか否かを決定し、コントローラは、発生した周期動作が早過ぎるか又は遅過ぎるかの決定に応答して、次の呼吸周期に対して周期閾値流量を調整することを特徴とする患者に気体を供給する気体流供給装置。
【請求項４６】
気体流を発生する過程と、
患者管路を経て患者に気体流を供給する過程と、
制御信号に応答して患者に供給される気体流を制御する過程と、
患者管路内の気体流の流量を測定して、流量を表す第１の流量信号を出力する過程と、
患者管路内の気体流の圧力を測定し、圧力を表す第１の圧力信号を出力する過程と、
患者管路内からの気体を周辺大気に連絡する過程と、
患者呼吸周期の呼気段階の開始を検出して、気体の吸気流を供給することから第１の流量信号から決定される患者流量を周期閾値流量と比較することにより、患者管路から気体の呼気流量を流通させることまでの周期動作を行う過程と、
気体の吸気流を供給することから、周期閾値流量より下方に該当する患者流量に応答して、患者管路から気体の呼気流を流通させることまでの周期動作を行う過程と、
吸気段階の終端部の患者圧力に基づき、発生した周期動作が遅過ぎるか否かを決定する過程と、
呼気段階の始端部の患者流量に基づき、発生した周期動作が早過ぎるか否かを決定する過程と、
発生した周期動作が早過ぎるか又は遅過ぎるかの決定に応答して、次の呼吸周期に対する周期閾値流量を調節する過程とを含むことを特徴とする患者に気体流を供給する気体流供給法。
【手続補正２】
【補正対象書類名】明細書
【補正対象項目名】００３９
【補正方法】変更
【補正の内容】
【００３９】
一漏洩推定法では、式(2)で表されるある瞬間での漏洩量Qleakは、下式で表される：
【数１】
2004512065.tif 000001
ここで、LFは、各呼吸に対し好適に算出される漏洩係数：
【数２】
2004512065.tif 000002